(57)【要約】【課題】遊技者の利益を損なわないようにし、興趣性の高い遊技機を提供する。【解決手段】遊技価値を付与するか否かに関する抽選を実行可能な抽選手段による抽選結果が特定抽選結果であり、且つ、停止ボタン５の操作態様が特定操作態様である場合、特定態様で識別情報を停止表示させる制御を実行可能であり、抽選手段による抽選結果が特定抽選結果であり、且つ、停止ボタン５の操作態様が特定操作態様とは異なる非特定操作態様である場合、特定態様とは異なる非特定態様で識別情報を停止表示させる制御を実行可能であり、通常遊技状態において、特定態様であることよりも非特定態様の方が、高い確率でＡＴ（擬似ボーナス）に制御可能な構成としている。【選択図】図１１
2020120899.tif 000002
【特許請求の範囲】
【請求項１】
複数の識別情報を変動表示可能な可変表示手段と、遊技者が操作可能な停止操作手段と、を備え、前記停止操作手段の操作により前記可変表示手段に停止表示された識別情報の停止表示態様が、特定態様であった場合に、遊技者に所定の遊技価値を付与可能な遊技機において、
前記遊技価値を付与するか否かに関する抽選を実行可能な抽選手段と、
前記抽選手段による抽選結果が特定抽選結果であり、且つ、前記停止操作手段の操作態様が特定操作態様である場合、前記特定態様で識別情報を停止表示させる制御を実行可能であり、前記抽選手段による抽選結果が前記特定抽選結果であり、且つ、前記停止操作手段の操作態様が前記特定操作態様とは異なる非特定操作態様である場合、前記特定態様とは異なる非特定態様で識別情報を停止表示させる制御を実行可能な停止表示制御手段と、
第１遊技状態と第２遊技状態とを含む複数の遊技状態のうち、何れかの遊技状態に制御可能な遊技状態制御手段と、
を備え、
前記遊技状態制御手段は、
前記第１遊技状態において、前記停止表示制御手段による実行結果が前記特定態様であることよりも前記非特定態様の方が、高い確率で前記第２遊技状態に制御可能である
ことを特徴とする遊技機。
【請求項２】
前記第２遊技状態に関する情報を告知可能な告知手段を備え、
前記告知手段は、
前記抽選手段による抽選結果が前記特定抽選結果であり、且つ、前記停止表示制御手段による実行結果が前記非特定態様である場合、前記非特定態様で識別情報が前記可変表示手段に停止表示された後に、前記第２遊技状態に関する情報を告知可能である
ことを特徴とする請求項１に記載の遊技機。
【請求項３】
遊技状態を前記第１遊技状態から前記第２遊技状態に制御するか否かに関する判定を実行可能な判定手段と、
前記遊技状態制御手段は、
前記第１遊技状態において、前記判定手段による判定結果が特定判定結果である場合、前記停止表示制御手段による実行結果が前記特定態様であることよりも前記非特定態様の方が、高い確率で前記第２遊技状態に制御可能である
ことを特徴とする請求項１又は２に記載の遊技機。
【請求項４】
前記遊技状態制御手段は、
前記第１遊技状態において、前記判定手段による判定結果が前記特定判定結果であり、且つ、前記停止表示制御手段による実行結果が前記特定態様である場合、遊技状態を前記第２遊技状態に制御しない
ことを特徴とする請求項３に記載の遊技機。
【請求項５】
遊技状態を前記第１遊技状態から前記第２遊技状態に制御するか否かに関する判定を実行可能な判定手段と、
前記停止操作手段への操作態様に関する情報を報知可能な報知手段と、を備え、
前記報知手段は、
前記抽選手段による抽選結果が前記特定抽選結果であり、且つ、前記第１遊技状態において前記判定手段による判定結果が特定判定結果である場合、前記特定操作態様に関する特定情報を報知可能である
ことを特徴とする請求項１〜４の何れか一項に記載の遊技機。
【請求項６】
遊技状態を前記第１遊技状態から前記第２遊技状態に制御するか否かに関する判定を実行可能な判定手段と、
前記停止操作手段への操作態様に関する情報を報知可能な報知手段と、を備え、
前記報知手段は、
前記抽選手段による抽選結果が前記特定抽選結果であり、且つ、前記第１遊技状態において前記判定手段による判定結果が特定判定結果である場合、前記非特定操作態様に関する特別情報を報知可能である
ことを特徴とする請求項１〜４の何れか一項に記載の遊技機。
【請求項７】
前記報知手段は、
所定の情報を表示可能な表示手段を含み、
前記表示手段は、
前記特定操作態様に関する特定情報を表示している場合、当該特定情報の少なくとも一部が視認困難になるように前記特別情報を前記特定情報に重なるように表示する
ことを特徴とする請求項６に記載の遊技機。
【請求項８】
前記停止表示制御手段による実行結果が前記非特定態様であることよりも前記特定態様の方が、多くの遊技価値を付与可能な遊技価値付与手段を備える
ことを特徴とする請求項１〜７の何れか一項に記載の遊技機。
【発明の詳細な説明】
【技術分野】
【０００１】
本発明は、遊技機に関する。
【背景技術】
【０００２】
この種の遊技機として、例えば、スロットマシンがあり、スロットマシンでは、遊技者に有利な遊技状態として、リプレイ役の当選率を高めたＲＴ（リプレイタイム）、小役やリプレイ役等の入賞をアシストするＡＴ（アシストタイム）、ＲＴとＡＴとを組み合わせることにより、リプレイ役の当選率を高めた上で、小役やリプレイ役等の入賞をアシストするＡＲＴ（アシストリプレイタイム）、などと称される遊技状態を有するものがある。
このようなスロットマシンにおいては、所定条件の成立により、有利な遊技状態を発生させるとともに、有利な遊技状態の発生中は、リールの停止順序をスロットマシンに備えられている画像表示装置に表示することで、小役を成立（入賞）し易くするものも知られている（例えば、特許文献１）。
【先行技術文献】
【特許文献】
【０００３】
【特許文献１】特開２０１７−１６９６２５号公報
【発明の概要】
【発明が解決しようとする課題】
【０００４】
ところが、このような従来の遊技機には、改善の余地があった。
【課題を解決するための手段】
【０００５】
上記課題を解決するため、本発明の遊技機は、複数の識別情報を変動表示可能な可変表示手段と、遊技者が操作可能な停止操作手段と、を備え、前記停止操作手段の操作により前記可変表示手段に停止表示された識別情報の停止表示態様が、特定態様であった場合に、遊技者に所定の遊技価値を付与可能な遊技機において、前記遊技価値を付与するか否かに関する抽選を実行可能な抽選手段と、前記抽選手段による抽選結果が特定抽選結果であり、且つ、前記停止操作手段の操作態様が特定操作態様である場合、前記特定態様で識別情報を停止表示させる制御を実行可能であり、前記抽選手段による抽選結果が前記特定抽選結果であり、且つ、前記停止操作手段の操作態様が前記特定操作態様とは異なる非特定操作態様である場合、前記特定態様とは異なる非特定態様で識別情報を停止表示させる制御を実行可能な停止表示制御手段と、第１遊技状態と第２遊技状態とを含む複数の遊技状態のうち、何れかの遊技状態に制御可能な遊技状態制御手段と、を備え、前記遊技状態制御手段は、前記第１遊技状態において、前記停止表示制御手段による実行結果が前記特定態様であることよりも前記非特定態様の方が、高い確率で前記第２遊技状態に制御可能であることを備える構成としている。
【図面の簡単な説明】
【０００６】
【図１】遊技機の外観を示す概略正面図である。
【図２】遊技機の内部構成を示す概略斜視図である。
【図３】遊技機の制御構成を示すブロック図である。
【図４】内部抽選テーブルを示す図表である。
【図５】遊技状態の状態遷移図である。
【図６】ＡＴ抽選テーブルを示す図表である。
【図７】告知タイミング抽選テーブルを示す図表である。
【図８】擬似ボーナス種別抽選テーブルを示す図表である。
【図９】遊技開始時処理を示すフローチャートである。
【図１０】遊技終了時処理を示すフローチャートである。
【図１１】擬似ボーナスへ移行する際の演出例を説明する図である。
【図１２】擬似ボーナスへ移行する際の演出例を説明する図である。
【図１３】チャンスゾーン中の演出例を説明する図である。
【図１４】チャンスゾーン中の演出例を説明する図である。
【図１５】チャンスゾーン中の演出例を説明する図である。
【図１６】ＡＴ抽選テーブルの他の例を示す図表である。
【図１７】告知タイミング抽選テーブルの他の例を示す図表である。
【図１８】変形例における遊技状態の状態遷移図である。
【図１９】変形例における内部抽選テーブルを示す図表である。
【発明を実施するための形態】
【０００７】
本発明に係る遊技機の好ましい実施形態について、各図面を参照して説明する。
【０００８】
まず、スロットマシン１の全体構成について、図１及び図２を参照して説明する。
スロットマシン１は、本発明に係る遊技機の一実施形態であり、通常のスロットマシンと同様、前面に開口部を有する筐体１ｂと、開口部を開閉可能に覆う前扉１ａとを備えている。
【０００９】
前扉１ａの中央部には、後方を視認可能な表示窓６が形成されており、この表示窓６を透して、リール４１に表された図柄を視認することができる。
また、表示窓６の下方には、前側に突出する段部が形成されており、この段部の上面には、メダルを投入するメダル投入口２と、遊技の開始に際して遊技者の押下操作によりベット数を設定するベットボタン２ａと、遊技者の操作により表示器８で表示されている演出等に変化を与えるための演出ボタン２ｃとを備えている。
また、段部の前面には、遊技者が遊技を開始する際に操作するスタートレバー３と、遊技者がリール４１を停止する際に押圧操作する停止ボタン５を備えている。
【００１０】
また、表示窓６の上方には、遊技者に停止ボタン５の操作順序をナビゲートするナビランプ１２を備えている。また、表示窓６の下方には、遊技者にとって有利な状態である旨を報知する有利区間ランプ１３を備えている。なお、有利区間ランプ１３に代えて、例えば、メダルの払出数を表示する払出数表示部等を構成する７セグメントディスプレイ（「７セグ」ともいう）の「ドット」部分等を、点灯するようにしてもよい。
【００１１】
また、表示窓６の左側には、告知手段として動作するボーナス告知ランプ１４を備えている。
ボーナス告知ランプ１４は、後述するＡＴ（擬似ボーナス）に関する情報を告知する。具体的には、ＡＴ（擬似ボーナス）への移行抽選に当選した場合に、所定の態様で点灯し、内部に設けられたＬＥＤと、このＬＥＤが発する光によって絵柄等を透光表示させるようになっている。
【００１２】
前扉１ａの上部には、報知手段及び表示手段として動作する表示器８を備えている。
表示器８は、例えば、液晶表示器から構成されており、画像による各種演出、遊技における各種情報の表示等を行う。
なお、表示器８は、図１に示すように、１つ設ける構成としているが、これに限らず、複数設けてもよい。例えば、２つの表示器（主表示器と副表示器）を設け、２つ並んだ状態で配置することで、主表示器と副表示器とを合わせて一つの表示部のように機能させてもよい。また、スロットマシン１の下方に配置される大型の表示部である下パネル表示器に表示器を設けてもよい。
【００１３】
表示器８の上方には、報知手段として動作する、音による演出や報知を行うスピーカ９、各役の入賞時の光や、表示器８で表示される演出に対応する光の演出や報知を行うランプ１１を備えている。
また、前扉１ａの下部には、メダルが払い出されるメダル払出口７ｂを備えている。
【００１４】
筐体１ｂの上部には、遊技を統括的に制御する主制御部１０を備えており、前扉１ａの上部には、主制御部１０の制御下で遊技の演出等に関する制御を行う副制御部２０を備えている。
また、筐体１ｂの中央部には、リール４１を回転駆動させるドラムユニット４を備えている。ドラムユニット４は、水平方向に並設されるリール４１ａ、リール４１ｂ、リール４１ｃを備え、これらリール４１ａ〜４１ｃが、ステッピングモータ（図示省略）の駆動によりそれぞれ回転可能に構成されている。また、各リール４１ａ〜４１ｃの外周面には、所定の配列に従って複数の図柄（識別情報）が表され、リール４１の停止状態において、各リール４１ａ〜４１ｃについて、連続する所定数（例えば、３つ）の図柄が表示窓６を透して視認可能となっている。
また、筐体１ｂの下部には、メダルの払い出しを行うメダル払出装置７、メダルを貯留するホッパー７ａを備えており、メダル払出装置７から払い出されたメダルは、メダル払出口７ｂを介して遊技者に払い出される。
【００１５】
図３は、スロットマシン１の制御系の構成を示している。なお、図１及び図２で説明した構成要素と同一もしくは相当する構成要素には同一の符号を付している。
【００１６】
主制御部１０には、各種演算処理等を行うＣＰＵ（図示省略）と、遊技に関する制御プログラムや小役等の抽選を行うための抽選テーブル等が格納されたＲＯＭ（図示省略）と、各種データを一時記憶する記憶領域やＣＰＵの作業領域等を備えたＲＡＭ（図示省略）等が備えられている。
また、主制御部１０には、ベットボタン２ａ、メダルセレクタ２ｂ、スタートレバー３、停止ボタン５（停止ボタン５ａ〜５ｃ）が接続され、各機器に内蔵されたセンサからの信号を入力可能に構成されている。
また、主制御部１０は、スタートレバー３からの信号に基づいて遊技の開始処理や、乱数発生器（図示省略）からの乱数をサンプリングする処理等を行う。そして、主制御部１０は、サンプリングされた乱数に基づき、複数の当選役の中から今回ゲームの当選役を抽選により決定する内部抽選処理を行う。また、主制御部１０は、ＲＯＭの制御プログラムに従って、後述するＡＴへの移行に関する抽選処理等を行う。
すなわち、主制御部１０は、遊技価値を付与するか否かに関する抽選を実行可能な抽選手段として機能し、また、ＡＴに移行するか否かを判定する判定手段として機能する。
【００１７】
また、主制御部１０には、ドラムユニット４、メダル払出装置７、有利区間ランプ１３、副制御部２０が接続され、各機器に対して信号を出力可能に構成されている。
具体的には、主制御部１０は、スタートレバー３や停止ボタン５からの信号に基づき、ドラムユニット４を駆動させてリール４１ａ〜４１ｃを回転・停止させる処理、メダル払出装置７を駆動させてメダルを払い出す処理、遊技者にとって有利な遊技状態が発生した場合に有利区間ランプ１３を点灯させる処理等を行う。
【００１８】
副制御部２０には、演出に関するプログラム、演出用画像データ、音声データ等の各種情報等を格納するＲＯＭ（図示省略）と、各種データを一時記憶する記憶領域やＣＰＵの作業領域等を備えたＲＡＭ（図示省略）等が備えられている。
また、副制御部２０には、演出ボタン２ｃが接続され、機器に内蔵されたセンサからの信号を入力可能に構成されているとともに、表示器８、スピーカ９、ランプ１１、ナビランプ１２、ボーナス告知ランプ１４が接続され、各機器に対して信号を出力可能に構成されている。例えば、副制御部２０は、演出ボタン２ｃからの信号に基づき、各演出の切替タイミングを制御可能となっている。
また、副制御部２０は、主制御部１０からの一方向のみのコマンド（制御情報）に応じて、表示器８において所定の演出の画像処理や、各種演出や報知を行うためのスピーカ９において音声出力処置や、ＬＥＤ等で構成されたランプ１１、ナビランプ１２、ボーナス告知ランプ１４の点灯処理等を行う。
【００１９】
このようなスロットマシン１は、主制御部１０による制御により、以下のようなスロットマシン遊技を実行可能に構成されている。
遊技の開始にあたり、メダル（クレジットメダルも含む）を用いてベット数の設定を行う。
ベット数の設定は、メダル投入口２から直接メダルを投入して設定する方法と、ベットボタン２ａを押下操作して設定する方法とがある。
【００２０】
メダル投入口２からメダルを投入してベット数を設定する方法では、投入されたメダルが前扉１ａ裏面に設けられたメダルセレクタ２ｂによって検知されることにより、投入分のメダル枚数に対応するベット数（ただし、メダル３枚に対応する３ベットが上限）が設定されることになる。
なお、ベット数の上限は、「１」、「２」、又は「４」以上でもよい。
【００２１】
ベットボタン２ａが押圧操作されると、内部的にデータとして記憶されたクレジットメダルから、１回の遊技に使用するメダル数として所定数（例えば、３枚）のメダル数が減算され、減算された分が３ベットとして設定されることになる。
なお、ベットボタンとして、２枚に対応するメダル数を設定する２ベットボタンを設けることで、２ベットボタンを１回押すことで２ベットを設定してもよい。
また、ベットボタンとして、１枚に対応するメダル数を設定する１ベットボタンを設けることで、１ベットボタンを２回押すことで２ベットを設定してもよく、１ベットボタンを３回押すことで３ベットを設定してもよい。
また、クレジットメダルは、メダル投入口２からのメダル投入や入賞により加算され、例えば、メダル５０枚までクレジット（記憶）することができる。
【００２２】
このように、メダル投入口２からの直接投入や、ベットボタン２ａの押圧操作により設定されたベット数は、主制御部１０に備えるＲＡＭなどの記憶手段に記憶される。
そして、１回の遊技を実行可能なベット数になったときに、１回の遊技を開始可能な状態となる。
この遊技開始可能な状態では、スタートレバー３の操作が有効な状態となる。この有効な状態において、スタートレバー３が傾動操作されると、ゲームが開始され、複数の図柄の表されたリール４１ａ〜４１ｃが変動を開始するとともに、リプレイ役、小役などの複数の当選役（ハズレを含む）の中から、今回ゲームの当選役をリール４１の停止前に事前に決定する内部抽選処理が実行される。
【００２３】
各リール４１ａ〜４１ｃは、可変表示手段の一例であり、各リール４１ａ〜４１ｃの周面には、識別情報となる複数（例えば、２０個）の図柄として、例えば、「リプレイ」、「ベル」、「チェリー」、「７」、「ＢＡＲ」等が表されており、停止状態から徐々に回転速度を上げた後、一定の速度で回転する定常回転に達する。
このような定常回転に達すると、各リール４１ａ〜４１ｃに対応して設けられた停止ボタン５ａ〜５ｃが押圧操作可能な状態となる。
【００２４】
停止ボタン５ａ〜５ｃは、リール４１の停止操作を行うための停止操作手段の一例であり、例えば、停止ボタン５ａ〜５ｃに内蔵されたＬＥＤ等の発光手段が点灯することにより押圧操作可能な状態となり、このような状態において各停止ボタン５が押圧操作されると、その操作タイミングと内部抽選処理の抽選結果とにより許容される図柄の組合せで停止するように、各リール４１ａ〜４１ｃが停止制御される。
【００２５】
そして、第３リール停止操作後に、遊技の結果として所定の入賞ライン上に停止した図柄の組合せを判定した結果、所定の図柄の組合せであるときに入賞と判定され、図柄の組合せに応じた遊技価値が付与される。
なお、第３リールとは、３つのリール４１ａ〜４１ｃの停止操作が各１回ずつ計３回された場合において、その最後である３操作目に停止操作をされたリールをいう。また、第３リール停止操作後とは、遊技者が第３リールを停止するために停止操作した停止ボタン５から指等を離した時点後のことをいう。
【００２６】
リール４１の停止状態では、リール４１ａ〜４１ｃそれぞれに表された３つの図柄が機外から視認可能に停止（以下、「停止表示」ともいう）し、このときの停止表示態様に基づいて入賞の有無が判定される。
例えば、本実施形態では、入賞の判定は、上・中・下段のライン、右下がりのライン、右上がりのラインの計５ライン何れかの入賞ライン上に停止した図柄の組合せに基づいて入賞の有無が判定される。なお、入賞を判定する入賞ラインの本数は、５ラインに限らず、図柄の配置構成、図柄の種類、当選役に対応する図柄の組合せなどの関係により、適宜変更することができる。
【００２７】
判定される図柄の組合せは、例えば、小役、リプレイ役等に対応するものである。
小役には、例えば、ベル役、スイカ役、チェリー役がある。
なお、以下の説明において、スイカ役、チェリー役を、纏めて「レア役」ともいう。
【００２８】
ベル役には、対応する図柄の組合せを、例えば、入賞ライン上の「左リール４１ａ・中リール４１ｂ・右リール４１ｃ」の順（以下同様）に「ベル・ベル・ベル」とする「押し順ベル」が設けられている。
「押し順ベル」には、６通りある押し順（例えば、「５ａ→５ｂ→５ｃ」，「５ｃ→５ｂ→５ａ」など）のうち、１通り（１／６）の押し順によって、停止ボタン５ａ〜５ｃが操作されることで、対応する図柄の組合せが停止表示される６つの「押し順ベル１〜６」が設けられている。
なお、以下の説明において、「押し順ベル１〜６」を、単に「押し順ベル」ともいう。
【００２９】
また、スロットマシン１は、主制御部１０による制御により、「押し順ベル」に関する遊技状態として、ＡＴ（アシストタイム）を発生可能となっている。
ＡＴは、「押し順ベル」が当選した場合に、停止ボタン５に対する押し順や目押しの目安となる図柄等を、表示器８等によって報知することにより、「押し順ベル」に対応する図柄の組合せを停止可能にアシストする遊技状態である。
押し順の報知例として、例えば、「押し順ベル１〜６」のうち「押し順ベル１」に当選した場合（停止ボタン５が「５ａ→５ｂ→５ｃ」の順に操作がされると、押し順ベル１に対応する図柄の組合せが停止する場合）には、表示器８は、左から右に向けて「１」、「２」、「３」等を表示し、ナビランプ１２は、１２ａ（左）、１２ｂ（中）、１２ｃ（右）の順で点灯し、スピーカ９は、「左」、「中」、「右」の順でそれぞれの音声を出力する。なお、本実施形態では、表示器８、ナビランプ１２、スピーカ９等の報知手段により押し順をナビゲートされることを「押し順ナビ」ともいう。
このように、ＡＴ中は、押し順ナビが報知されるため非ＡＴ中に比べて出玉スピードが速くなる。
【００３０】
遊技者が、押し順ナビに応じて、停止ボタン５を操作することにより、「押し順ベル１〜６」に対応する図柄の組合せ（「ベル・ベル・ベル」）が停止表示されるとともに、所定の遊技価値が付与される（規定枚数のメダルが払い出される）。
一方、「押し順ベル１〜６」に当選した場合に、押し順ナビに従わずに、他の５通り（５／６）の押し順によって停止ボタン５を操作したときには、対応する図柄の組合せ（「ベル・ベル・ベル」）が停止表示されず、「ベル・ベル・リプレイ」などの他の図柄の組合せ（以下、「ベルこぼし目」という）が停止表示され、所定の遊技価値が付与されない（規定枚数のメダルが払い出されない）ことになる。
「ベルこぼし目」は、何れの当選役にも対応しない図柄の組合せであり、以下、「ハズレ目」ともいう。
【００３１】
すなわち、主制御部１０は、抽選手段による抽選結果が「押し順ベル」の当選（特定抽選結果）であり、且つ、停止ボタン５ａ〜５ｃの操作態様が特定の押し順（特定操作態様）である場合に、リール４１において変動表示している図柄を「押し順ベル」に対応する図柄の組合せ（特定態様）で停止表示可能な停止表示制御手段として機能する。
【００３２】
なお、「押し順ベル１〜６」に当選した場合に、２、３番目に操作する停止ボタン５を問わず、最初に操作する停止ボタン５のみが特定の押し順に従っていれば、「押し順ベル１〜６」に対応する図柄の組合せが停止するようにリール４１の停止制御を行うこともできる。この場合、３通りの「押し順ベル１〜３」としてもよい。
【００３３】
スイカ役は、対応する図柄の組合せを「スイカ・スイカ・スイカ」とする小役であり、チェリー役は、対応する図柄の組合せを「チェリー・ＡＮＹ・ＡＮＹ」（ただしＡＮＹは任意の図柄）とする小役である。
リプレイ役には、押し順に関係なく図柄の組合せが揃う「通常リプレイ」が設けられている。例えば、対応する図柄の組合せを「リプレイ・リプレイ・リプレイ」として設定されている。
【００３４】
スロットマシン１には、主制御部１０において実行される内部抽選処理における当選役の当選確率や、ＡＴへの移行抽選の当選確率を外部操作（手動）により設定変更可能な確率設定手段（設定ボタン）が設けられている。
例えば、小役の当選確率を、低い当選確率から高い当選確率までの４段階に区分けし、各段階を設定１、２、５、６にそれぞれ対応させることにより、小役の当選確率を各設定に応じた当選確率に変更することができる。
この場合、設定１が設定されているよりも、設定６が設定されている方が、小役に当選する確率が高く設定されており、その結果、設定１が設定されているよりも、設定６が設定されている方が、スロットマシン遊技が有利に進行するように制御される。
なお、遊技設定値を４段階に設定可能としたが、これに限らず、例えば、６段階（設定１〜設定６）や３段階（設定１、設定３、設定６）としてもよい。
【００３５】
以上説明したような図柄の組合せに基づいて、小役、リプレイ役の当選がそれぞれ判定され、判定の結果、各当選役に対応する図柄の組合せであるときに、各当選役に応じた遊技価値が付与される（メダルが払い出される）。
例えば、３ベットの場合において、「押し順ベル１〜６」の当選時に、特定の押し順（１通りの押し順）で停止ボタン５ａ〜５ｃを操作して対応する図柄の組合せが停止した場合には、１０枚のメダルが払い出される。
一方、３ベットの場合において、「押し順ベル１〜６」の当選時に、特定の押し順以外の押し順（５通りの押し順）で停止ボタン５ａ〜５ｃを操作したときには、対応する図柄の組合せが停止されず、ベルこぼし目が停止し、規定枚数（１０枚）のメダルは払い出されない。なお、本実施形態では、ベルこぼし目が停止した場合は、０枚の払出しを想定しているが、これに限らず、９枚以下（規定枚数よりも少ない枚数）のメダルを払い出してもよい。
すなわち、主制御部１０は、「押し順ベル１〜６」に当選した場合に、特定の押し順以外の押し順で停止ボタン５ａ〜５ｃを操作して、他の図柄の組合せ（ベルこぼし目）で停止表示するよりも、特定の押し順で停止ボタン５ａ〜５ｃを操作して、押し順ベルに対応する図柄の組合せで停止表示する方が、多くの遊技価値を付与することが可能な遊技価値付与手段として機能する。
【００３６】
また、スイカ役に対応する図柄の組合せが停止表示した場合には、３ベットの場合、５枚のメダルが払い出される。
また、チェリー役に対応する図柄の組合せが停止表示した場合には、３ベットの場合、１枚のメダルが払い出される。
なお、各役に対応する図柄の組合せが停止表示した場合に払い出されるメダルの数は、上記した枚数以外でもよい。
また、リプレイ役に対応する図柄の組合せの停止表示により、リプレイ役が判定され、次回ゲームにおいてメダルの投入を行うことなく、再遊技が可能な状態となる。
【００３７】
次に、図４を参照して、３ベットの場合における各当選役の当選確率について説明する。
図４は、遊技設定値ごとの各当選役の当選確率を示す「内部抽選テーブル」であり、主制御部１０による内部抽選処理において取得する乱数値の取得範囲（個数）を６５５３６個とし、そのうちの当たり値（当選）の個数を各々示している。
【００３８】
各当選役の当選確率は、遊技状態が後述する通常遊技状態の場合には、「通常リプレイ」＞「押し順ベル１〜６」のうち何れか１つ＞「チェリー」＞「スイカ」の関係性、つまり、「通常リプレイ」が最も当選し易く、「スイカ」が最も当選し難く設定されているものとする。
各当選役には、遊技設定値に応じて当選確率が変動する当選役と、遊技設定値に応じて当選確率が変動しない当選役が設けられている。
例えば、遊技設定値に応じて当選確率が変動しない当選役として、「通常リプレイ」が設けられており、「通常リプレイ」は、例えば、当選確率が９０１２／６５５３６のように、全ての遊技設定値で同様に設定されている。
また、「通常リプレイ」以外の当選役は、遊技設定値に応じて当選確率が変動する当選役として設けられており、「押し順ベル１〜６」は、例えば、設定１の場合の当選確率が６６８７／６５５３６、設定２の場合の当選確率が６７８７／６５５３６、設定５の場合の当選確率が６８８７／６５５３６、設定６の場合の当選確率が６９８７／６５５３６のように、当選確率が遊技設定値に応じて異なるように設定されている。
また、「チェリー」及び「スイカ」も同様に、遊技設定値に応じて当選確率が変動するように設定されており、図４に示すように、高設定である程、当選確率が高くなるように設定されている。
また、上記の各当選役に当選した以外の乱数値が抽出された場合に、抽選結果が「ハズレ」となり、遊技設定値に応じて当選確率が変動するように設定されている。
【００３９】
なお、図４に示す「内部抽選テーブル」では、遊技設定値に応じて当選確率が変動する当選役と、遊技設定値に応じて当選確率が変動しない当選役とを設ける場合を想定しているが、これに限らず、全ての当選役を遊技設定値に応じて当選確率が変動するように設定してもよく、又は、全ての当選役を遊技設定値に応じて当選確率が変動しないように設定してもよい。
また、遊技設定値に応じて当選確率が変動する当選役の種類と遊技設定値に応じて当選確率が変動しない当選役の種類は、任意に設定することができる。
また、図４に示す「内部抽選テーブル」では、高設定である程、各当選役の当選確率が高くなるように設定されているが、これに限らず、一部又は全部の当選役について高設定である程、各当選役の当選確率が低くなるようにしてもよい。
【００４０】
また、ベル役、リプレイ役の図柄は、全てのリール４１ａ〜４１ｃにおいて、連続する５コマ以内に配置されているものとし、主制御部１０で行われる４コマの引込停止制御により必ず入賞ライン上に停止させることができる。
一方、ベル役、リプレイ役以外の図柄は、連続する５コマ以内に必ずしも配置されていないので、４コマの引込停止制御を行っても入賞ライン上に停止できずに、当選役を取りこぼしてしまう場合がある。つまり、これらの図柄を入賞ライン上に停止させるためには、所望の図柄を狙って停止ボタン５ａ〜５ｃを操作する、所謂目押し操作を行う必要がある。
【００４１】
本実施形態に係るスロットマシン１は、このような構成に加えて、以下に示すような遊技状態と、この遊技状態に基づく特徴的な遊技性を備えている。
次に、図５を参照して、本実施形態に係るスロットマシン１の各遊技状態と、各遊技状態の遷移について説明する。
本実施形態のスロットマシン１は、通常遊技状態とＡＴを含む複数の遊技状態を有しており、主制御部１０が遊技状態制御手段として動作することにより、所定の移行条件が成立することに基づいて、通常遊技状態とＡＴ間の移行の制御（以下単に「移行」ともいう）を行うことができる。
以下、特に説明がない場合には、各遊技状態から他の遊技状態への移行タイミングは、基本的に、移行条件が成立した遊技の第３リール停止操作後（若しくは、メダルの払い出し終了後）である。ただし、これに限定されず、移行条件が成立後、次ゲームから移行してもよい。
【００４２】
通常遊技状態は、非ＡＴに制御され、遊技を続けることで、遊技者の手持ちのメダルが漸次減少し、遊技者にとっては、不利な遊技状態である。
通常遊技状態は、通常遊技状態Ａと通常遊技状態Ｂ（第１遊技状態）から構成されている。
通常遊技状態Ａは、スロットマシン１のシステムリセット時、遊技設定値が変更（遊技設定値の打ち直しも含む）された場合及び有利区間のリミッタに到達した場合に滞在する。
通常遊技状態Ａ滞在中に、内部抽選処理において「ハズレ」以外の当選役に当選した場合には、主制御部１０は、通常遊技状態Ａから通常遊技状態Ｂへ移行するように制御する（図５の矢印ａ）。
すなわち、通常遊技状態Ａの滞在期間は極めて短く、通常遊技状態に滞在中は、ほぼ通常遊技状態Ｂに滞在することになる。
通常遊技状態Ｂに滞在中は、ＡＴへの移行をかけた「ＡＴ抽選処理」を含む各種処理が実行される。なお、通常遊技状態Ｂ滞在中に実行される各種処理の詳細は、後述する。
【００４３】
ＡＴは、擬似ボーナス（第２遊技状態）を備えている。
擬似ボーナスには、ビッグボーナスとレギュラーボーナスが設けられている。
ビッグボーナスは、１００ゲームを消化するまでの期間、滞在可能であり、レギュラーボーナスは、３０ゲームを消化するまでの期間、滞在可能である。
擬似ボーナス中は、所定の確率（例えば、１００％）で押し順ナビが表示される。そのため、擬似ボーナス中は、遊技者にとって、メダルの増加を期待できる有利な遊技状態である。
ビッグボーナス又はレギュラーボーナスの遊技可能ゲーム数を消化した（残りゲーム数が「０」になった）時点で、主制御部１０は、擬似ボーナスから通常遊技状態Ａへ移行するように制御する（図５の矢印ｃ）。
また、擬似ボーナス中に、後述する有利区間のリミッタに到達した場合にも、主制御部１０は、擬似ボーナスから通常遊技状態Ａへ移行するように制御する。
【００４４】
なお、擬似ボーナスの遊技可能ゲーム数を、擬似ボーナス突入時に抽選により決定してもよい。例えば、遊技設定値が高設定であるほど、大きいゲーム数が決定されるようにしてもよい。
また、擬似ボーナス中に、遊技可能ゲーム数に所定のゲーム数を上乗せしてもよい。例えば、レア役の当選を契機に、上乗せ抽選を行うことで、当該上乗せ抽選に当選した場合、所定のゲーム数を上乗せすることで、擬似ボーナスの滞在を延長するようにしてもよい。
【００４５】
また、本実施形態では、擬似ボーナスの遊技可能ゲーム数を消化した時点で、擬似ボーナスから通常遊技状態Ａへ移行することを想定しているが、これに限らず、例えば、擬似ボーナス中に、今回ゲームで当選した当選役に基づいて擬似ボーナスの連荘抽選処理を行ってもよい。この場合、当選役ごとに連荘抽選の当選確率が異なるように設定することが好ましい。
連荘抽選に当選した場合には、擬似ボーナスの終了後、次ゲームで、擬似ボーナスへ突入するようにしてもよい。
【００４６】
本実施形態では、擬似ボーナスの突入時に、擬似ボーナスに対応する図柄の組合せを自動的に停止表示するリールの自動停止制御が行われるようになっている。
リールの自動停止制御は、回転中の各リール４１を、停止ボタン５の停止操作がされなくても、自動的に停止可能な制御である。
例えば、通常遊技状態Ｂ滞在中に、「押し順ベル」以外の当選役の当選を契機に、ＡＴへの移行抽選に当選した場合には、ＡＴに当選したゲームの次ゲームに係るスタートレバー３の操作がされると、擬似ボーナスに対応する図柄の組合せが自動的に停止表示される。
なお、以下の説明では、リールの自動停止制御において、回転中のリール４１が自動で停止され、一時的に停止表示されることを「仮停止表示」ともいう。
そして、仮停止表示がされてから所定期間（数秒）経過後に、再度、リール４１が変動を開始する。
例えば、ビッグボーナスの場合には、「７・７・７」の図柄の組合せが停止表示し、レギュラーボーナスの場合には、「７・７・ＢＡＲ」の図柄の組合せが停止表示する。
【００４７】
なお、自動停止制御に代えて、遊技者自身が擬似ボーナスに対応した図柄の組合せを停止表示可能にしてもよい。
例えば、特定の押し順に従うことにより図柄の組合せが揃う「押し順リプレイ」が当選した場合に、一の押し順で停止ボタン５を操作すると「７・７・７」の図柄の組合せが停止表示し、他の押し順で停止ボタン５を操作すると「７・７・ＢＡＲ」の図柄の組合せが停止表示するようにして、ボーナス告知ランプ１４の点灯後に、「押し順リプレイ」が当選した場合に、当選した擬似ボーナスを停止させるための押し順を報知することで、遊技者自身が擬似ボーナスに対応した図柄の組合せを停止させるようにしてもよい。
【００４８】
また、スロットマシン１の遊技は、通常区間と有利区間を有する。
これらの区間は、遊技状態によって区分され、さらに、ＡＴ等の遊技者にとって有利な遊技状態への当選確率が異なる当選確率状態によっても区分けされる。
本実施形態では、当選確率状態として、ＡＴの通常確率状態と、ＡＴの高確率状態が設けられている。
通常区間は、通常遊技状態において遊技可能な区間であって、ＡＴの通常確率状態において遊技可能な区間が含まれる。本実施形態では、例えば、通常遊技状態のうち通常遊技状態Ａが、通常区間に区分されている。
【００４９】
有利区間は、通常区間から他の遊技状態に移行後、再度、通常区間に移行するまで継続して滞在可能な区間である。
有利区間は、ＡＴと、ＡＴの高確率状態において遊技可能な区間が含まれる。本実施形態では、例えば、ＡＴ（擬似ボーナス）と、通常遊技状態のうち通常遊技状態Ｂが、有利区間に区分されている。
有利区間に滞在中は、主制御部１０は、連続して遊技が実行された回数である有利区間遊技回数を計数し、また、獲得したメダル数を計数する。
【００５０】
通常区間から有利区間への移行は、内部抽選処理において「ハズレ」以外の当選役に当選した場合に移行する（図５の矢印ａ）。
すなわち、「ハズレ」に当選した場合には、通常区間（通常遊技状態Ａ）を維持し、一方、「ハズレ」以外の当選役に当選した場合には、通常区間（通常遊技状態Ａ）から有利区間（通常遊技状態Ｂ）へ移行するようになっている。
なお、これに限らず、通常区間から有利区間への移行は、例えば、所定の当選役に対応する図柄の組合せの停止表示、又は、所定の当選役に対応しない図柄の組合せの停止表示（例えば、ハズレ目（ベルこぼし目））等によって、移行するようにしてもよい。
【００５１】
有利区間に移行後、有利区間が終了するには、ＡＴ（擬似ボーナス）の終了を契機に、有利区間が終了して通常区間に移行する（図５の矢印ｃ）。
また、これとは別に、有利区間の終了は、「有利区間遊技回数が、上限回数（リミッタ）に到達したこと」、又は、「有利区間中に獲得したメダル数（差枚数）が、上限枚数（リミッタ）に到達したこと」の何れかの条件を満たすことに基づいて、有利区間が終了して通常区間に移行する。
この有利区間遊技回数の上限回数（リミッタ）は、１０００ゲームや１５００ゲーム等、任意の数であればどのような回数でもよく、有利区間中の獲得メダル数の上限枚数（リミッタ）は、１０００枚や２４００枚等、任意の数であればどのような枚数でもよい。
【００５２】
有利区間のリミッタに到達した場合には、実行中の擬似ボーナスの残りゲーム数や、有利区間遊技回数等は消去される（初期化される）。
なお、上記の有利区間の終了条件は、一例であり、例えば、「少なくとも１回の押し順ベルの報知がされたこと」、「ボーナス役に対応した図柄の組合せが停止表示されたこと」等を含めてもよい。
【００５３】
また、有利区間中は、基本的に、有利区間ランプ１３が点灯される。
なお、遊技性の低下を防止するために、実際にメダルの増加が見込める状態中のみ点灯させるようにしてもよい。例えば、ＡＴの高確率状態（通常遊技状態Ｂ）中は、有利区間ランプ１３を点灯しないようにし、ＡＴ（擬似ボーナス）中のみ、点灯するようにしてもよい。
【００５４】
次に、通常遊技状態Ｂに滞在中に実行される各種処理について説明する。
（ＡＴ抽選処理）
通常遊技状態Ｂに滞在中は、ＡＴ（擬似ボーナス）への移行をかけた「ＡＴ抽選処理」が実行される。
具体的には、主制御部１０は、レア役の当選又は「押し順ベル１〜６」の当選を契機に、図６に示す「ＡＴ抽選テーブル」を参照することで移行抽選を行う。
例えば、「押し順ベル１〜６」当選時の７１３／６５５３６の確率で当選し、「チェリー」当選時の４０９６／６５５３６の確率で当選し、「スイカ」当選時の１９８５／６５５３６の確率で当選し、「通常リプレイ」当選時の３６／６５５３６の確率で当選し、「ハズレ」当選時の６５５／６５５３６の確率で当選するように設定されている。
ＡＴへの移行抽選に当選した場合には、遊技者にＡＴの移行権利が１つ付与されるとともに、主制御部１０は、遊技状態を通常遊技状態ＢからＡＴ（擬似ボーナス）へ移行するように制御する（図５の矢印ｂ）。
【００５５】
なお、遊技者に付与されるＡＴの移行権利の数は、１つに限らず、複数付与するようにしてもよい。また、ＡＴの移行契機となった当選役の種類に応じて、付与するＡＴの移行権利の数を異ならせてもよく、抽選によって付与するＡＴの移行権利の数を決定してもよい。
また、ＡＴへの移行抽選の契機は、レア役又は「押し順ベル１〜６」の当選以外で行ってもよい。例えば、所定の当選役（例えば、押し順ベル）の当選が所定回数に到達した場合に、ＡＴへの移行抽選を行ってもよいし、有利区間中に実行されたゲーム数が所定数に到達した場合に、ＡＴへの移行抽選を行うようにしてもよい。
【００５６】
また、「ＡＴ抽選処理」では、抽選の結果として「非当選」と「当選」の他に、「仮当選（特定判定結果）」が決定される場合がある。
ＡＴの「仮当選」とは、ＡＴに「当選」する前段階の状態であり、図６に示すように、例えば「押し順ベル１〜６」に当選した場合のみ、２１９３／６５５３６の確率で決定されるように設けられている。
そして、ＡＴに仮当選したゲームにおいて、特定の押し順以外の押し順（非特定操作態様）で停止ボタン５ａ〜５ｃが操作されることで、「押し順ベル１〜６」に対応しない図柄の組合せ（ベルこぼし目）（非特定態様）が停止表示すると、「仮当選」の状態から「当選」の状態に制御される。
一方、ＡＴに仮当選したゲームにおいて、特定の押し順（特定操作態様）で停止ボタン５ａ〜５ｃが操作されることで、「押し順ベル１〜６」に対応する図柄の組合せ（特定態様）が停止表示すると、「仮当選」の状態から「非当選」の状態に制御される。
このように、本実施形態では、「ＡＴ抽選処理」において、ＡＴに仮当選した場合には、そのゲームで、ベルこぼし目が停止表示すると、ＡＴに移行し、一方、「押し順ベル１〜６」に対応する図柄の組合せが停止表示すると、ＡＴには移行しないといった特徴を有している。
【００５７】
なお、本実施形態では、ＡＴに仮当選した状態で、ベルこぼし目が停止表示すると、必ずＡＴに移行し、「押し順ベル１〜６」に対応する図柄の組合せが停止表示すると、必ずＡＴには移行しないことを想定しているが、これに限らず、ＡＴへの移行を所定の確率に基づいて制御してもよい。
例えば、ＡＴに仮当選した状態で、ベルこぼし目が停止表示した場合には、所定の確率（例えば、８０％）に基づいてＡＴに移行するように制御してもよい。また、ＡＴに仮当選した状態において、「押し順ベル１〜６」に対応する図柄の組合せが停止表示した場合には、所定の確率（例えば、２０％）に基づいてＡＴに移行するように制御してもよい。
すなわち、ＡＴに仮当選した状態において、ベルこぼし目が停止表示してもＡＴに移行しない場合や、「押し順ベル１〜６」に対応する図柄の組合せが停止表示してもＡＴに移行する場合を設けることができる。
【００５８】
（告知タイミング抽選処理）
「ＡＴ抽選処理」において、ＡＴへの移行抽選に「当選」又は「仮当選」した場合には、ボーナス告知ランプ１４の点灯タイミングを抽選により決定する「告知タイミング抽選処理」が実行される。
具体的には、主制御部１０は、ＡＴへの移行契機となった当選役に応じて、図７に示す「告知タイミング抽選テーブル」を参照することで抽選を行う。
【００５９】
例えば、「押し順ベル１〜６」の当選を契機に、ＡＴへの移行抽選に「当選」した場合には、告知タイミングとして「スタートレバー操作後」が６５５３６／６５５３６の確率で決定されるようになっている。
すなわち、「押し順ベル１〜６」の当選を契機に、ＡＴに当選した場合は、スタートレバー３操作後の全てのリール４１が回転したタイミングでのみ、ボーナス告知ランプ１４が点灯する（以下、先告知という。）。
【００６０】
一方、「押し順ベル１〜６」の当選を契機に、ＡＴへの移行抽選に「仮当選」した場合には、告知タイミングとして「第３リール停止操作後」が６５５３６／６５５３６の確率で決定されるようになっている。
すなわち、「押し順ベル１〜６」の当選を契機に、ＡＴへの移行抽選に「仮当選」した場合は、第３リール停止操作後の全てのリール４１が停止したタイミングでのみ、ボーナス告知ランプ１４が点灯する（以下、後告知という。）。
【００６１】
このように、ＡＴに仮当選した場合には、後告知のみを行うのは、次のような理由からである。
前述したように、「押し順ベル１〜６」の当選を契機に、ＡＴに仮当選した場合は、第３リール停止操作後、ベルこぼし目が停止表示すると、ＡＴに移行するように制御され、一方、第３リール停止操作後、「押し順ベル１〜６」に対応する図柄の組合せが停止表示すると、ＡＴに移行しないように制御される。
すなわち、ＡＴに仮当選した場合でも、第３リール停止操作後のリール４１の停止表示態様によっては、ＡＴに当選しない場合がある。
このような制御が行われるため、ＡＴに仮当選した状態で、第３リール停止操作後以外のタイミングで、ボーナス告知ランプ１４を点灯させてしまうと、ボーナス告知ランプ１４が点灯したにも関わらず、ＡＴに移行しない状況が生じる場合があり、遊技者に疑義が生じてしまうことがある。
そのため、「押し順ベル１〜６」の当選を契機に、ＡＴに仮当選した場合には、「押し順ベル１〜６」に対応する図柄の組合せが停止表示していないことを遊技者が認識できる第３リール停止操作後にのみ、ボーナス告知ランプ１４を点灯させるようになっている。
【００６２】
また、「告知タイミング抽選処理」では、「チェリー」の当選を契機に、ＡＴへの移行抽選に「当選」した場合には、「スタートレバー操作後」、「第１リール停止操作後」及び「第２リール停止操作後」がそれぞれ８１９２／６５５３６の確率で選択され、「第３リール停止操作後」が４０９６０／６５５３６の確率で選択されるように設定されている。
すなわち、「チェリー」の当選を契機に、ＡＴに当選した場合は、「先告知」に対して「後告知」が約５倍の確率で発生することになる。
また、「スイカ」の当選を契機に、ＡＴへの移行抽選に「当選」した場合には、「スタートレバー操作後」、「第１リール停止操作後」、「第２リール停止操作後」及び「第３リール停止操作後」の全てが１６３８４／６５５３６の確率で選択されるように設定されている。
すなわち、「スイカ」の当選を契機に、ＡＴに当選した場合は、「先告知」と「後告知」が同じ確率で発生することになる。
【００６３】
また、「通常リプレイ」の当選を契機に、ＡＴへの移行抽選に「当選」した場合には、「スタートレバー操作後」が８１９２／６５５３６の確率で選択され、「第１リール停止操作後」及び「第２リール停止操作後」が１６３８４／６５５３６の確率で選択され、「第３リール停止操作後」が２４５７６／６５５３６の確率で選択されるように設定されている。
すなわち、「通常リプレイ」の当選を契機に、ＡＴに当選した場合は、「先告知」に対して「後告知」が約３倍の確率で発生することになる。
また、「ハズレ」の当選を契機に、ＡＴへの移行抽選に「当選」した場合には、「第３リール停止操作後」が６５５３６／６５５３６の確率で選択されるように設定されている。
すなわち、「ハズレ」の当選を契機に、ＡＴに当選した場合は、「後告知」のみが発生することになる。
【００６４】
なお、「告知タイミング抽選処理」において選択される告知タイミングは、図７に示す組み合わせに限らず、各当選役に応じて任意に設定することができる。例えば、「ハズレ」の当選を契機に、ＡＴに当選した場合には、「後告知」以外の告知タイミングが選択されるようにしてもよい。
【００６５】
（擬似ボーナス種別抽選処理）
「ＡＴ抽選処理」において、ＡＴへの移行抽選に「当選」又は「仮当選」した場合には、次回移行する擬似ボーナスの種別を抽選により決定する「擬似ボーナス種別抽選処理」が実行される。
具体的には、主制御部１０は、ＡＴへの移行契機となった当選役に応じて、図８に示す「擬似ボーナス種別抽選テーブル」を参照することで抽選を行う。
選択される擬似ボーナスの種別としては、「ビッグボーナス」、「レギュラーボーナス」、「昇格ビッグボーナス」がある。
【００６６】
「昇格ビッグボーナス」は、レギュラーボーナスからビッグボーナスへ昇格するボーナスである。
具体的には、「擬似ボーナス種別抽選処理」において「昇格ビッグボーナス」が選択された場合には、擬似ボーナスの突入時には、レギュラーボーナスに対応する図柄の組合せが停止表示されて、レギュラーボーナスの遊技が開始されるものの、その後、レギュラーボーナスの遊技中又はレギュラーボーナスの終了時に、ビッグボーナスへの昇格を報知する演出が実行され、ビッグボーナスが遊技可能ゲーム数（１００ゲーム）を消化するまで遊技可能となる。
このように、擬似ボーナスの種別として「昇格ビッグボーナス」を備えることにより、擬似ボーナスの突入時にレギュラーボーナスに対応する図柄の組合せが仮停止表示されても、その後、ビッグボーナスに昇格する可能性があるため、遊技者は、レギュラーボーナス中にビッグボーナスへ昇格することを期待して遊技することができ、遊技の興趣を高めることができる。
【００６７】
「擬似ボーナス種別抽選処理」では、「押し順ベル１〜６」の当選を契機に、ＡＴへの移行抽選に「当選」又は「仮当選」した場合には、擬似ボーナスの種別として「ビッグボーナス」が３２７７１／６５５３６の確率で選択され、「レギュラーボーナス」が２６２１２／６５５３６の確率で選択され、「昇格ビッグボーナス」が６５５３／６５５３６の確率で選択されるように設定されている。
すなわち、「押し順ベル１〜６」の当選を契機に、ＡＴに当選した場合は、「ビッグボーナス」が「レギュラーボーナス」よりも高い確率で選択されることになる。
【００６８】
また、「チェリー」の当選を契機に、ＡＴに当選した場合には、「ビッグボーナス」と「レギュラーボーナス」が同じ確率で選択されるようになっている。
また、「スイカ」の当選を契機に、ＡＴに当選した場合には、「ビッグボーナス」のみが選択されるようになっている。
また、「通常リプレイ」や「ハズレ」の当選を契機に、ＡＴに当選した場合には、「ビッグボーナス」が「レギュラーボーナス」よりも高い確率で選択されるようになっている。
またさらに、「通常リプレイ」や「ハズレ」の当選を契機に、ＡＴに当選した場合には、「昇格ビッグボーナス」の当選確率が、他の当選役よりも高い確率で選択されるようになっている。そのため、遊技者は、「通常リプレイ」や「ハズレ」の当選を契機に、ＡＴに当選した場合には、ビッグボーナスへ昇格することを期待して遊技することとなる。
【００６９】
なお、「擬似ボーナス種別抽選処理」において選択される擬似ボーナスの種別は、図８に示す組み合わせに限らず、各当選役に応じて任意に設定することができる。例えば、「レギュラーボーナス」のみが選択される当選役を設けてもよい。
また、ビッグボーナスからレギュラーボーナスに転落するボーナス（転落レギュラーボーナス）を設けてもよい。
また、遊技設定値に基づいて擬似ボーナスの種別の選択率を異ならせてもよい。例えば、高設定である程、ビッグボーナス又はレギュラーボーナスの当選確率が高くなるように設定してもよい。
【００７０】
次に、通常遊技状態Ｂ滞在中に実行される「遊技開始時処理」及び「遊技終了時処理」について説明する。
図９は、主制御部１０が行う「遊技開始時処理」のフローチャートを示しており、図１０は、主制御部１０が行う「遊技終了時処理」のフローチャートを示しており、これらを参照しながら通常遊技状態Ｂ滞在中の処理の流れを説明する。
【００７１】
（遊技開始時処理）
「遊技開始時処理」は、スロットマシン１が遊技を開始可能な状態において、遊技開始操作（スタートレバー３の操作）がされた場合に実行される処理である。
まず、主制御部１０は、本発明に係る抽選手段として動作することで、「内部抽選テーブル」を参照して「内部抽選処理」を実行する（Ｓ１）。
次いで、主制御部１０は、本発明に係る判定手段として動作することで、「内部抽選処理」において当選した当選役に基づいて「ＡＴ抽選テーブル」を参照して、「ＡＴ抽選処理」を実行する（Ｓ２）。
そして、「ＡＴ抽選処理」において、ＡＴに「仮当選」したか否かを判定する（Ｓ３）。
判定の結果、ＡＴに仮当選したと判定した場合には（Ｓ３：Ｙｅｓ）、主制御部１０のＲＡＭで記憶・管理されている仮当選フラグに、ＡＴの仮当選状態を示す「１」を記憶（セット）する（Ｓ４）。
【００７２】
一方、ＡＴに仮当選していないと判定した場合には（Ｓ３：Ｎｏ）、「ＡＴ抽選処理」において、ＡＴに当選したか否かを判定する（Ｓ５）。
判定の結果、ＡＴに「当選」していないと判定した場合には（Ｓ５：Ｎｏ）、処理を終了し、ＡＴに当選していると判定した場合には（Ｓ５：Ｙｅｓ）、主制御部１０のＲＡＭで記憶・管理されている当選フラグに、ＡＴの当選状態を示す「１」を記憶（セット）する（Ｓ６）。
次いで、主制御部１０は、今回ゲームの当選役が「押し順ベル」であるか否かを判定する（Ｓ７）。
判定の結果、今回ゲームの当選役が、押し順ベルであると判定した場合には（Ｓ７：Ｙｅｓ）、主制御部１０のＲＡＭで記憶・管理されている自動停止フラグに「１」を記憶（セット）する（Ｓ８）。
【００７３】
次いで、主制御部１０は、今回ゲームの当選役に基づいて「告知タイミング抽選テーブル」を参照することで「告知タイミング抽選処理」を実行する（Ｓ９）。
ここで決定された告知タイミングに基づいて、副制御部２０は、ボーナス告知ランプ１４を点灯させる。具体的には、それぞれの告知タイミングにおいて当選フラグの値を参照し、当選フラグが「１」にセットされている場合には、ボーナス告知ランプ１４の点灯制御を行う。
すなわち、ＡＴに仮当選している状態であっても（仮当選フラグが「１」）、未だＡＴに当選していない状態（当選フラグが「０」）では、ボーナス告知ランプ１４が点灯されないように制御される。
【００７４】
次いで、主制御部１０は、今回ゲームの当選役に基づいて「擬似ボーナス種別抽選テーブル」を参照することで「擬似ボーナス種別抽選処理」を実行する（Ｓ１０）。
ここで決定された擬似ボーナス種別に基づいて、主制御部１０は、擬似ボーナスの突入時に、リールの自動停止制御を行う。
そして、主制御部１０は、自動停止フラグに「１」がセットされているか否かを判定する（Ｓ１１）。
判定の結果、自動停止フラグに「１」がセットされていないと判定した場合には（Ｓ１１：Ｎｏ）、処理を終了し、自動停止フラグに「１」がセットされていると判定した場合には（Ｓ１１：Ｙｅｓ）、主制御部１０は、遊技状態を「通常遊技状態Ｂ」から「ＡＴ」に移行するように制御する（Ｓ１２）。
そして、主制御部１０は、Ｓ１０において決定された擬似ボーナスの種別に基づいて、リールの自動停止処理を実行する（Ｓ１３）。
具体的には、リール４１を仮停止表示させて、仮停止表示がされてから所定期間（数秒）経過後に、再度、リール４１を回転させる。
このように、「ＡＴ抽選処理」において「押し順ベル１〜６」の当選を契機に、ＡＴに当選した場合には、スタートレバー３が操作されてから第１リールの停止操作がされるまでの期間に、リール４１が自動で停止されるようになっている（図１２参照）。
そして、主制御部１０は、自動停止フラグに「０」をセット（初期化）し、（Ｓ１４）、処理を終了する。
【００７５】
（遊技終了時処理）
「遊技終了時処理」は、第３リール停止操作後に実行される処理である。
まず、主制御部１０は、第３リールの停止操作を受け付けたことに基づいて、仮当選フラグに「１」がセットされているか否かを判定する（Ｓ２１）。
判定の結果、仮当選フラグに「１」がセットされていると判定した場合には（Ｓ２１：Ｙｅｓ）、仮当選フラグに「０」をセットし、初期化する（Ｓ２２）。
次いで、主制御部１０は、停止表示されている図柄の組合せが、ベルこぼし目であるか否かを判定する（Ｓ２３）。
判定の結果、ベルこぼし目が停止表示されていないと判定した場合には（Ｓ２３：Ｎｏ）、処理を終了し、ベルこぼし目が停止表示されていると判定した場合には（Ｓ２３：Ｙｅｓ）、当選フラグにＡＴの当選状態を示す「１」をセットする（Ｓ２４）。
そして、主制御部１０は、遊技状態を「通常遊技状態Ｂ」から「ＡＴ」に移行するように制御する（Ｓ２６）。
【００７６】
一方、Ｓ２１において、仮当選フラグに「１」がセットされていないと判定した場合には（Ｓ２１：Ｎｏ）、当選フラグに「１」がセットされているか否かを判定する（Ｓ２５）。
判定の結果、当選フラグに「１」がセットされていないと判定した場合には（Ｓ２５：Ｎｏ）、処理を終了し、当選フラグに「１」がセットされていると判定した場合には（Ｓ２５：Ｙｅｓ）、主制御部１０は、遊技状態を「通常遊技状態Ｂ」から「ＡＴ」に移行するように制御する（Ｓ２６）。
主制御部１０は、当選フラグに「０」をセットし、初期化して（Ｓ２７）、処理を終了する。
そして、「遊技終了時処理」の終了後に、遊技状態がＡＴに移行している場合には、遊技開始操作（スタートレバー３の操作）がされると、「遊技開始時処理」において決定された擬似ボーナスの種別に基づいて、リールの自動停止処理が実行され、擬似ボーナスが開始されるようになっている。
【００７７】
このように、「遊技終了時処理」では、同じゲームで実行された「遊技開始時処理」において、ＡＴに「仮当選」している場合には、ハズレ目（ベルこぼし目）が停止表示されているか否かを判断し、ＡＴの移行制御を行う。
すなわち、「押し順ベル」に係るＡＴへの移行抽選を遊技開始時に行い、同じゲームの第３リール停止操作後に、「押し順ベル」に対応する図柄の組合せが停止しているか否かを判定するだけで、ＡＴに関する制御を行うことができる。
そのため、本実施形態のスロットマシン１は、第３リール停止操作後（「遊技終了時処理」）に、ＡＴへの移行抽選を行わなくとも、先告知と後告知を実現することができるので、簡単な制御で先告知と後告知を実現することができる。
【００７８】
なお、「遊技開始時処理」及び「遊技終了時処理」において実行される各種処理の実行タイミングは、前述した実行タイミングに限らず、適宜変更が可能である。
例えば、「ＡＴ抽選処理」を「遊技終了時処理」において実行することも可能である。
この場合には、第３リールが停止操作されるまでは、ＡＴへの移行抽選が行われないため、ボーナスの告知が後告知のみとなるものの、「告知タイミング抽選処理」と、仮当選フラグをセットする処理が省略できるため、処理負担を軽減することができる。
また、例えば、「擬似ボーナス種別抽選処理」を「遊技終了時処理」において実行することも可能である。
この場合には、第３リールが停止操作されるまでは、擬似ボーナスの種別が決定されないため、「ＡＴ抽選処理」において「押し順ベル１〜６」の当選を契機に、ＡＴに当選した場合、すなわち先告知がされる場合は、必ずビッグボーナスが選択されるように設定してもよい。
【００７９】
次に、図１１及び図１２を参照して、通常遊技状態からＡＴ（擬似ボーナス）へ移行する際の演出例について説明する。
なお、図１１及び図１２は、説明上、スロットマシン１の構成を簡略化して示している。
【００８０】
図１１を参照して、「押し順ベル１〜６」の当選を契機に、ＡＴに「仮当選」した場合の演出例について説明する。
通常遊技状態Ｂ滞在中に、「押し順ベル１〜６」に当選し、この当選を契機に、ＡＴに仮当選した場合には（図１１（ａ））、当該ゲームの第３リール停止操作時において、ベルこぼし目が、高い確率で停止表示されることになる（図１１（ｂ））。
これは、通常遊技状態Ｂに滞在中は、原則、非ＡＴに制御されるため、積極的には、表示器８において押し順ナビが表示されないので、遊技者が特定の押し順で停止ボタン５ａ〜５ｃを操作して「押し順ベル１〜６」に対応する図柄の組合せを停止表示する確率は、極めて低く、特定の押し順以外の押し順で停止ボタン５ａ〜５ｃを操作する確率が高くなるからである。
【００８１】
そして、第３リールを停止するために操作した停止ボタン５から指等を離したとき（第３リール停止操作後）に、ボーナス告知ランプ１４が点灯する（図１１（ｃ））。
このように、「押し順ベル１〜６」の当選を契機に、ＡＴに仮当選した場合には、第３リールの停止操作時によりベルこぼし目が停止表示された後に、ＡＴに関する情報（擬似ボーナスの当選）が告知される。
一方、ＡＴに仮当選した場合、第３リールの停止操作時により「押し順ベル１〜６」に対応する図柄の組合せが停止表示された場合には、ＡＴに仮当選した状態から非当選の状態となり、ＡＴに関する情報（擬似ボーナスの当選）は告知されない。
このように、「押し順ベル１〜６」の当選を契機に、ＡＴに仮当選した場合には、「押し順ベル１〜６」に対応する図柄の組合せが停止表示されることよりも、ハズレ目（ベルこぼし目）が停止表示された方が、高い確率でＡＴに移行するように制御される。
【００８２】
そして、次ゲームに係るスタートレバー３が操作されると、リールの自動停止処理が開始される（図１１（ｄ））。
例えば、リール４１ａ〜４１ｃが、通常遊技中に回転する方向とは逆方向に回転を開始し、所定数回転した後、擬似ボーナスに対応する図柄の組合せが仮停止表示される（図１１（ｅ））。
そして、その数秒経過後に、リール４１ａ〜４１ｃが、自動的に変動を開始し、擬似ボーナスの遊技が開始される（図１１（ｆ））。
【００８３】
このように、本実施形態のスロットマシン１は、通常遊技状態Ｂ滞在中では「押し順ベル」が頻繁に当選するスロットマシンであるにもかかわらず、通常遊技状態Ｂ滞在中に、「押し順ベル」に対応する図柄の組合せではなく、ハズレ目（ベルこぼし目）が停止表示されたときに、ボーナス当選の告知が頻繁に行われる。
そのため、内部抽選処理において「ハズレ」に当選し、その結果（ハズレ目）が停止表示されたときに、ボーナス当選の告知を頻繁に行うスロットマシン（Ａタイプ機）を遊技しているかのような印象を遊技者に与えることができる。
また、遊技者は、第３リールの停止操作時において、ハズレ目が停止することに注目することになり、遊技の興趣を高めることができる。
【００８４】
図１２を参照して、「押し順ベル１〜６」の当選を契機に、ＡＴに「当選」した場合の演出例について説明する。
通常遊技状態Ｂ滞在中に、「押し順ベル１〜６」に当選し、この当選を契機に、ＡＴに当選した場合には、当該ゲームにおいて、第１リールの停止操作がされるまでの期間に、ボーナス告知ランプ１４が点灯し、さらに、リール４１の自動停止処理が開始される（図１２（ａ））。
そして、擬似ボーナスに対応する図柄の組合せが仮停止表示されて（図１２（ｂ））、その数秒経過後に、リール４１ａ〜４１ｃが変動を開始し、擬似ボーナスの遊技が開始される（図１２（ｃ））。
【００８５】
このように、「押し順ベル１〜６」の当選を契機に、ＡＴに当選した場合には、先告知がされた後に、当該ゲーム中に、擬似ボーナスに対応する図柄の組合せが仮停止表示された後に、擬似ボーナスが開始される。また、当該ゲーム中に、「押し順ベル１〜６」に対応する押し順ナビが表示される。
そのため、擬似ボーナス突入後に「押し順ベル」が当選して、これに対応する押し順ナビが表示されたかのような印象を遊技者に与えることができ、遊技者は違和感なく遊技することが可能になる。
【００８６】
（チャンスゾーン）
本実施形態のスロットマシン１は、通常遊技状態Ｂにおいて、ＡＴへの移行期待度が高い状態となる「チャンスゾーン」を備えることもできる。
チャンスゾーンは、通常遊技状態Ｂ滞在中に、レア役の当選を契機に移行し、所定ゲーム（例えば、１０ゲーム）の期間、滞在可能である。
チャンスゾーンに滞在中は、所定の確率（例えば、１００％）で押し順ナビ（特定情報）が表示される。そのため、チャンスゾーン滞在中に「押し順ベル１〜６」に当選した場合には、遊技者は表示される押し順ナビに従って、特定の押し順で停止ボタン５ａ〜５ｃを操作することができ、確実に規定枚数（１０枚）のメダルを獲得することができる。
【００８７】
また、上述したように、通常遊技状態Ｂに滞在中は、「押し順ベル１〜６」の当選を契機に、ＡＴに仮当選する場合がある。
そのため、今回ゲームで実行された「遊技開始時処理」において、ＡＴに仮当選していれば、チャンスゾーン中に表示される押し順ナビと異なる押し順で停止ボタン５ａ〜５ｃを操作することで、ベルこぼし目が停止表示して、ＡＴへ移行することになる。
すなわち、チャンスゾーンは、押し順ナビに従って停止ボタン５ａ〜５ｃを操作することで規定枚数（１０枚）のメダルを獲得するか、又は、押し順ナビに反して停止ボタン５ａ〜５ｃを操作することでＡＴへの移行をかけたチャレンジをするかを、遊技者が選択可能な遊技状態である。
【００８８】
図１３は、チャンスゾーン滞在中に、表示器８において表示される演出例を示している。
例えば、図１３（ａ）は、第１リールの停止操作において、停止ボタン５ｂ（中押し）以外を操作することで、ベルこぼし目が停止表示される状態を示しており、図１３（ｂ）は、第１リールの停止操作において、停止ボタン５ａ（左押し）を操作することで、ベルこぼし目が停止表示される状態を示している。
このように、遊技者は、押し順ナビに反した停止操作をすることで、規定枚数のメダルが獲得できない不利益を被ることを認識しつつも、ＡＴへの移行をかけて、押し順ナビと異なる停止操作を行うか否かを判断して遊技を進めることができ、興趣を高めることができる。
また、チャンスゾーン滞在中は、押し順ナビの発生頻度が高いため、遊技者が意図的にベルこぼし目を停止表示させる機会が増えるので、結果的に、ＡＴへの当選確率が高くなり、ＡＴの移行期待度が高くなる。
【００８９】
また、チャンスゾーン滞在中に表示される押し順ナビの表示態様は、遊技者に対して注意喚起を示唆する態様であって、通常時に表示される押し順ナビの表示態様とは、異なる態様で表示される。
例えば、押し順ナビの大きさや、押し順を示す数字画像が、通常時よりも大きく表示される。
また、これに限らず、押し順ナビを点滅態様で表示してもよく、通常時とは異なる点灯色で表示してもよい。なお、点灯色は、注意を引き付けるために赤色等が好ましい。
このような表示態様で、押し順ナビが表示されることにより、遊技者はＡＴへの移行をかけたチャレンジが可能であるという状態を察知し、慎重な操作を心がけるようになる。
【００９０】
また、チャンスゾーンには、ＡＴの移行期待度が、さらに高い状態となる「高確ゾーン」を設けることができる。
高確ゾーンは、チャンスゾーン滞在中に、レア役の当選を契機に移行し、所定ゲーム（例えば、３ゲーム）の期間、滞在可能である。
【００９１】
図１４及び図１５は、高確ゾーン中に、表示器８において実行される演出例を示している。
図１４に示すように、高確ゾーン中は、「押し順ベル１〜６」の当選を契機に、仮当選した場合には、仮当選したことを報知する文字画像（例えば、「激熱」）（特別情報）が表示される。
この「激熱」の表示により、遊技者は、ＡＴに仮当選したことを認識することができる。
そのため、遊技者は、高確ゾーン中に「激熱」が表示された場合には、表示されている押し順ナビに反した押し順で停止ボタン５ａ〜５ｃを操作することで、ベルこぼし目を停止表示させて、ＡＴに移行させることができる。
すなわち、チャンスゾーン滞在中に、「激熱」が表示されていないときには、遊技者は押し順ナビに応じて特定の押し順で操作を行うことで、規定枚数（１０枚）のメダルを獲得することができ、「激熱」が表示されたときには、遊技者は押し順ナビに反して特定の押し順以外の押し順で操作を行うことで、ベルこぼし目を停止表示させ、確実にＡＴに移行させることができ、遊技者が有利に遊技を進行させることができる。
【００９２】
また、図１５に示すように、高確ゾーン中は、「激熱」の文字画像が、押し順ナビの少なくとも一部と重なる位置に表示される場合がある。
このような表示により「押し順ベル」に対応する押し順ナビが、遊技者から視認困難な状態となる。
これにより、遊技者が特定の押し順を誤操作する可能性が高くなり、その結果、ベルこぼし目が停止表示される機会が多くなるため、遊技者にＡＴへの移行を促すことができる。
また、例えば、「激熱」の表示がされているものの、ＡＴに仮当選していることを認識していない遊技者に対しても、ベルこぼし目の停止を促すことができる。
【００９３】
なお、高確ゾーン中は、ＡＴに仮当選した場合、必ず、文字画像を表示することを想定しているが、これに限らず、文字画像の表示を所定の確率に基づいて制御することもできる。
例えば、ＡＴに仮当選した場合、所定の確率（例えば、８０％）に基づいて文字画像を表示してもよい。また、例えば、遊技設定値が高設定であるほど、高い確率で文字画像を表示するようにしてもよい。
また、高確ゾーン中に表示される情報は、文字画像に限らず、遊技者に対してＡＴに仮当選したことを報知可能であって、押し順ナビの少なくとも一部と重なることで押し順ナビを遊技者から視認困難な情報であれば、特に限らない。
またさらに、高確ゾーン中は、押し順ベルに対応しない図柄の組合せ（ベルこぼし目）が停止表示する特定の押し順以外の押し順を表示してもよい。
【００９４】
以上、説明したように、本実施形態のスロットマシン１においては、通常遊技状態Ｂにおいて、「押し順ベル」の当選を契機に、ＡＴに仮当選した場合は、特定の押し順以外の押し順による操作によって、押し順ベルに対応しない図柄の組合せ（ベルこぼし目）が停止表示すると、ＡＴに移行するように制御し、一方、特定の押し順による操作によって、押し順ベルに対応する図柄の組合せが停止表示すると、ＡＴに移行しないように制御する。
したがって、通常遊技状態Ｂにおいて、「押し順ベル」に当選した場合には、押し順ベルに対応する図柄の組合せで停止表示するよりも、押し順ベルに対応しない他の図柄の組合せ（ベルこぼし目）で停止表示する方が、高い確率でＡＴへ移行可能に制御することができる。
これにより、「押し順ベル」に当選した場合、遊技者が特定の押し順により操作することができず、遊技媒体を満足に獲得できない状況（とりこぼし）であっても、遊技者にＡＴへの移行権利を付与する場合を設けることで、遊技者が著しく損をすることを防止することができる。
【００９５】
なお、上述した実施形態では、「ＡＴ抽選処理」において、「押し順ベル１〜６」の当選を契機に、「当選」と「仮当選」が選択される場合を説明したが、これに限らず、「仮当選」のみが選択されるようにしてもよい。
例えば、図６に示す「ＡＴ抽選テーブル」に代えて、図１６に示す「ＡＴ抽選テーブル」を参照して、「ＡＴ抽選処理」を実行することができる。この場合、例えば、「押し順ベル１〜６」当選時の２８４９／６５５３６の確率で仮当選が決定され、６２６８７／６５５３６の確率で非当選が決定される。
また、この場合には、例えば、図７に示す「告知タイミング抽選テーブル」に代えて、図１７に示す「告知タイミング抽選テーブル」を参照して、「告知タイミング抽選処理」を実行することができる。
【００９６】
また、上述した実施形態では、「押し順ベル１〜６」の当選時に、特定の押し順以外の押し順で停止ボタン５ａ〜５ｃを操作したときには、ベルこぼし目が停止する場合で説明したが、これに限らず、特定の停止態様（リーチ目）が停止するようにしてもよい。
リーチ目は、ＡＴ（擬似ボーナス）の当選を示唆する図柄の組合せであり、リーチ目が停止表示することで、遊技者はＡＴ（擬似ボーナス）に当選したことを認識することができる。
このように、「押し順ベル１〜６」の当選時に、特定の押し順以外の押し順で停止ボタン５ａ〜５ｃが操作されたときに、リーチ目を停止表示する場合、ＡＴに制御される擬似ボーナス中は、必ず「押し順ベル」に対応する図柄の組合せが停止表示されるので、リーチ目が擬似ボーナス中に停止表示されることがない。
そのため、本実施形態のスロットマシン１は、ボーナス中にリーチ目が停止しないスロットマシン（Ａタイプ機）を遊技しているかのような印象を遊技者に与えることができる。
また、リーチ目を複数設けてもよく、複数のリーチ目を設けることで、第３リールの停止操作時に、様々な図柄の組合せが停止可能になるため、面白みが増加し、遊技の興趣を向上させることができる。
【００９７】
（変形例）
本実施形態に係るスロットマシン１は、次に示すような変形例とすることもできる。
変形例に係るスロットマシン１では、前述の実施形態と同様な構成を有しているものの、図１８に示すような遊技状態を備える点において相違する。
具体的には、前述した実施形態の図５と比較して、図１８中の一点鎖線で示される部分が相違する。
すなわち、前述した実施形態の通常遊技状態Ａ及び通常遊技状態Ｂを、「通常遊技状態Ｃ」としている点が相違する。
通常遊技状態Ｃは、通常区間に区分されており、通常遊技状態Ｃ滞在中は、前述した実施形態の通常遊技状態Ｂにおける各処理（遊技開始時処理（ＡＴ抽選処理、告知タイミング抽選処理、擬似ボーナス種別抽選処理等）、遊技終了時処理）が実行される。
【００９８】
図１９は、変形例に係るスロットマシン１における各当選役の当選確率を示す「内部抽選テーブル」である。
各当選役には、遊技設定値に応じて当選確率が変動する当選役と、遊技設定値に応じて当選確率が変動しない当選役が設けられている。
例えば、遊技設定値に応じて当選確率が変動しない当選役として、「押し順ベル１〜６」、「設定差無チェリー」、「設定差無スイカ」及び「通常リプレイ」が設けられている。
「押し順ベル１〜６」は、例えば、当選確率が６５８７／６５５３６のように、全ての遊技設定値で同様に設定されている。
また、「設定差無チェリー」、「設定差無スイカ」及び「通常リプレイ」も同様に、図１９に示すように、当選確率が全ての遊技設定値で同様に設定されている。
【００９９】
また、遊技設定値に応じて当選確率が変動する当選役として、「共通ベル」、「設定差有チェリー」及び「設定差有スイカ」が設けられており、図１９に示すように、高設定である程、当選確率が高くなるように設定されている。
「共通ベル」は、停止ボタン５ａ〜５ｃに対する操作順序（押し順）に関係なく、対応する図柄の組合せ（「ベル・ベル・ベル」）が停止する小役であり、「設定差有チェリー」は、対応する図柄の組合せを「チェリー・ＡＮＹ・ＡＮＹ」（ただしＡＮＹは任意の図柄）とする小役であり、「設定差有スイカ」は、対応する図柄の組合せを「スイカ・スイカ・スイカ」とする小役である。
また、上記の各当選役に当選した以外の乱数値が抽出された場合に、抽選結果が「ハズレ」となり、遊技設定値に応じて当選確率が変動するように設定されている。
【０１００】
なお、図１９に示す「内部抽選テーブル」では、遊技設定値に応じて当選確率が変動する当選役の種類と遊技設定値に応じて当選確率が変動しない当選役の種類は、任意に設定することができる。
また、高設定である程、各当選役の当選確率が高くなるように設定されているが、これに限らず、一部又は全部の当選役について高設定である程、各当選役の当選確率が低くなるようにしてもよい。
【０１０１】
変形例に係るスロットマシン１では、図１８に示すように、通常遊技状態Ｃが通常区間に区分されており、ＡＴ（擬似ボーナス）が有利区間に区分されている。
通常区間（通常遊技状態Ｃ）から有利区間（ＡＴ）への移行は、ＡＴへの移行抽選に当選した場合に移行するようになっている（図１８の矢印ａ）。
すなわち、ＡＴへの移行抽選に当選したゲームの次ゲームから、ＡＴ（擬似ボーナス）が終了したゲームまでが、有利区間として制御される。
そして、有利区間に移行後、有利区間が終了するには、ＡＴ（擬似ボーナス）の終了を契機に、有利区間が終了して通常区間に移行する（図１８の矢印ｂ）。
【０１０２】
また、変形例に係るスロットマシン１では、遊技設定値に応じて当選確率が変動しない当選役の当選を契機に、前述した実施形態に係る「ＡＴ抽選テーブル」を参照することで「ＡＴ抽選処理」を実行することができる。
この場合、「押し順ベル１〜６」の当選を契機に、「当選」又は「仮当選」が選択可能な「ＡＴ抽選テーブル」（図６）を参照してもよく、「押し順ベル１〜６」の当選を契機に、「仮当選」のみが選択可能な「ＡＴ抽選テーブル」（図１６）を参照してもよい。
また、「押し順ベル１〜６」の当選を契機に、「当選」のみが選択可能な「ＡＴ抽選テーブル」（非図示）を参照してもよい。
なお、図６及び図１６に示す当選役のうち、「チェリー」が変形例に係る「設定差無チェリー」に対応しており、「スイカ」が「設定差無スイカ」に対応している。
【０１０３】
このように、変形例に係るスロットマシン１では、各当選役の当選を契機に、ＡＴに「当選」又は「仮当選」する確率は、全ての遊技設定値で同様となる。
ただし、ＡＴに仮当選した場合には、ＡＴへの移行をかけて、押し順ナビと異なる停止操作を行うか否かを、遊技者の判断で行うことができるため、ＡＴの当選確率は、実質的には異なることになる。
なお、ＡＴへの移行抽選は、遊技設定値に応じて当選確率が変動する当選役の当選を契機に、ＡＴへの移行抽選を行ってもよい。
【０１０４】
このような変形例に係るスロットマシン１においても、前述の実施形態と同様の特徴を備えることができ、同様の効果を奏する。
【０１０５】
以上説明したように、本発明においては、複数の識別情報を変動表示可能な可変表示手段（リール４１）と、遊技者が操作可能な停止操作手段（停止ボタン５）と、を備え、停止操作手段の操作により可変表示手段に停止表示された識別情報の停止表示態様が、特定態様であった場合に、遊技者に所定の遊技価値を付与可能な遊技機（スロットマシン１）において、遊技価値を付与するか否かに関する抽選を実行可能な抽選手段（主制御部１０）と、抽選手段による抽選結果が特定抽選結果（押し順ベルの当選）であり、且つ、停止操作手段の操作態様が特定操作態様（特定の押し順）である場合、特定態様（押し順ベルに対応する図柄の組合せ）で識別情報を停止表示させる制御を実行可能であり、抽選手段による抽選結果が特定抽選結果（押し順ベルの当選）であり、且つ、停止操作手段の操作態様が特定操作態様とは異なる非特定操作態様（特定の押し順以外の押し順）である場合、特定態様とは異なる非特定態様（押し順ベルに対応しない他の図柄の組合せ（ベルこぼし目））で識別情報を停止表示させる制御を実行可能な停止表示制御手段（主制御部１０）と、第１遊技状態（通常遊技状態）と第２遊技状態（ＡＴ）とを含む複数の遊技状態のうち、何れかの遊技状態に制御可能な遊技状態制御手段（主制御部１０）と、を備え、遊技状態制御手段は、第１遊技状態において、停止表示制御手段による実行結果が特定態様であることよりも非特定態様の方が、高い確率で第２遊技状態に制御可能に構成した。
【０１０６】
したがって、通常遊技状態において、「押し順ベル」に当選した場合、特定の押し順により押し順ベルに対応する図柄の組合せで停止表示するよりも、特定の押し順以外の押し順により押し順ベルに対応しない他の図柄の組合せ（ベルこぼし目）で停止表示する方が、高い確率でＡＴに移行させることができる。
これにより、特定の小役（押し順ベルなど）に当選した場合、特定の押し順を操作することができず、遊技者が遊技媒体を満足に獲得できない状況であっても、遊技者に特典（ＡＴへの移行権利）を付与する場合を設けることで、遊技者が著しく損をすることを防止することができる。
【０１０７】
一方、特許文献１には、特定の小役（押し順ベルなど）に当選した場合、特定の押し順で操作を行うことにより当該特定の小役に対応する図柄の組合せが停止表示されることで、遊技者に遊技媒体が付与され、特定の押し順以外の押し順で操作を行うことにより当該特定の小役に対応する図柄の組合せが停止表示されず、遊技者が遊技媒体を獲得できない遊技機が開示されている。
この遊技機においては、特定の小役に当選した場合、特定の押し順が、必ず報知される訳ではないため、特定の小役に当選した場合、遊技者が運よく特定の押し順で操作を行うことができれば、遊技者は遊技媒体を獲得でき、一方、特定の押し順で操作を行うことができなければ、遊技者は遊技媒体を獲得できないことになる。
このように、この遊技機においては、特定の押し順を操作することができず、遊技者が遊技媒体を獲得できない状況（とりこぼし）の救済措置として、遊技者に特典が付与されることがないため、遊技者が著しく損をする虞があった。
このように、本実施形態のスロットマシン１によれば、従来の遊技機が改善すべきこのような課題の全部又は一部などを解決することができる。
【０１０８】
以上、本発明の遊技機の好ましい実施形態について説明したが、本発明に係る遊技機は前述した実施形態にのみ限定されるものではなく、本発明の範囲で種々の変更実施が可能であることは言うまでもない。
例えば、遊技状態にＲＴを備えてもよい。具体的には、リプレイ役の当選確率の低い状態である非ＲＴ（リプレイ当選低確率状態）と、リプレイ役の当選確率の高い状態であるＲＴ（リプレイ当選高確率状態）とに制御可能とし、６通りある「押し順リプレイ」を設け、６通りある押し順のうちの１通りの押し順によって非ＲＴからＲＴへ昇格する図柄の組合せが停止し、６通りある押し順のうちの５通りの押し順によってＲＴから非ＲＴへ転落する図柄の組合せが停止するようにしてもよい。
そして、この場合、ＲＴから非ＲＴへ転落する図柄の組合せを、前述した実施形態における「ベルこぼし目」と同様の機能を備えてもよい。すなわち、転落図柄の組合せが停止することで、ＡＴへ移行するようにしてもよい。
【０１０９】
また、本実施形態では、ＡＴ中は、当選役（押し順ベル１〜６）に対応する図柄の組合せを停止可能とするために、停止ボタン５に対する押し順を表示する場合で説明したが、これに限らず、停止ボタン５に対する目押し操作の目安となる情報を報知してもよい。
例えば、目押し操作の目安となる図柄を報知してもよく、目押し操作の目安となる図柄の色を報知してもよく、目押し操作の目安となる操作タイミングを報知してもよい。また、これらが、組み合わされたものを報知してもよい。
【０１１０】
また、本実施形態では、ＡＴ（擬似ボーナス）の当選の告知は、ボーナス告知ランプ１４で行われる場合で説明したが、これに限らず、表示器８での画像（動画）、スピーカ９からの効果音、ランプ１１での発光等により報知してもよい。
【０１１１】
また、本実施形態では、ＡＴ（擬似ボーナス）を管理可能な値としてゲーム数を用いているが、これに限らず、例えば、押し順ナビの発生回数、小役当選回数、メダルの獲得枚数、メダルの払出枚数、メダルの差枚数（投入メダルと払出メダルの差分）等とすることもできる。
【０１１２】
また、本実施形態では、擬似ボーナスとして、ビッグボーナスとレギュラーボーナスの２つを設けた場合で説明したが、これに限らず、これらの何れか１つだけでもよく、又は、３つ以上設けてもよい。３つ以上設ける場合には、ボーナスごとに遊技可能ゲーム数を異ならせることが好ましい。
【０１１３】
また、各種処理において参照するテーブルは、一例であり、前述したテーブルにのみ限定されるものではない。例えば、本実施形態における「内部抽選処理」では、図４に示す「内部抽選テーブル」に代えて、図１９に示す「内部抽選テーブル」を参照してもよい。また、変形例における「内部抽選処理」では、図１９に示す「内部抽選テーブル」に代えて、図４に示す「内部抽選テーブル」を参照してもよい。
また、各種テーブルに係る当選確率は、前述した値に限らず、任意に設定変更することができる。
【０１１４】
また、本実施形態では、遊技状態制御手段などの各種手段としての動作を主制御部１０が行ったが、副制御部２０がその一部又は全部を行い、副制御部２０が各種手段として動作することもできる。
また、反対に、副制御部２０が表示器８等において演出を実行する手段として動作を行ったが、主制御部１０がその一部又は全部を行い、主制御部１０が各種手段として動作することもできる。
【０１１５】
また、本発明をスロットマシンに適用したがパチンコ機など、その他の遊技機に適用することもできる。
また、メダル、遊技球等の現物の遊技媒体を用いることなく、データ形式の擬似遊技媒体を用いてゲームを実行可能な、いわゆる封入式遊技機にも、本発明を適用することができる。
【０１１６】
また、本実施形態では、可変表示手段としてモータにより駆動制御されるリール４１を用いたが、これに代えて又はこれに加えて、液晶表示器などの表示器８にリール等の図柄が変動する画像を表示させることにより、表示器を識別情報の可変表示手段として用いることもできる。
【符号の説明】
【０１１７】
１      スロットマシン
８      表示器（報知手段、表示手段）
１０    主制御部（停止操作手段、抽選手段、停止表示制御手段、遊技状態制御手段、判定手段、遊技価値付与手段）
１４    ボーナス告知ランプ（告知手段）
【図１】
2020120899.tif 000003
【図２】
2020120899.tif 000004
【図３】
2020120899.tif 000005
【図４】
2020120899.tif 000006
【図５】
2020120899.tif 000007
【図６】
2020120899.tif 000008
【図７】
2020120899.tif 000009
【図８】
2020120899.tif 000010
【図９】
2020120899.tif 000011
【図１０】
2020120899.tif 000012
【図１１】
2020120899.tif 000013
【図１２】
2020120899.tif 000014
【図１３】
2020120899.tif 000015
【図１４】
2020120899.tif 000016
【図１５】
2020120899.tif 000017
【図１６】
2020120899.tif 000018
【図１７】
2020120899.tif 000019
【図１８】
2020120899.tif 000020
【図１９】
2020120899.tif 000021